(57)【特許請求の範囲】
【請求項１】
単管に交差した状態でその単管上に載置される足場板をその単管に固定する足場板固定具において、
足場板の幅以上の長さを有し、足場板の幅方向に向けられ単管に対して略平行に足場板上に載置可能に形成される押止ロッドと、
その押止ロッドから足場板の長さ方向に間隔を隔てて単管よりも遠方の位置で足場板の幅方向両端部にそれぞれ係合可能に形成される一対の係合フックと、
その一対の係合フックが先端部にそれぞれ形成されかつ前記押止ロッドの両端部に基端部がそれぞれ連設されるとともに、その押止ロッドの両端部から単管側へ下降傾斜して延出され、単管の外周下側に沿って曲成されて折り返され、足場板側へ向けて上昇傾斜して延出され、前記一対の係合フックが足場板上に係合される場合に足場板側へ向けて弾性的に撓み変形可能に形成され、平面視した状態で互いに同一方向へ延出される一対の弾性アームとを備えており、
その弾性アームはいずれも、単管外径に比べて内径が大きな内周部へ単管を挿入可能に上向き開放された開口部を有する優弧状であって単管外周に巻着可能に形成され、その弾性アームが足場板側へ向けて弾性的に撓み変形されることによって、単管を締め付けるように弾性的に縮径可能に形成されて、当該弾性アームの撓み変形に伴う歪みエネルギーを蓄積する媒体となる巻着リングを備えていることを特徴とする足場板固定具。
【請求項２】
前記押止ロッド、一対の弾性アーム、及び、一対の係合フックは、撓み変形可能な棒状の弾性材料を曲成することで一体的に形成されていることを特徴とする請求項１記載の足場板固定具。
【請求項３】
前記弾性アームは、前記押止ロッドの端部から下降傾斜される延出部分であって前記巻着リングの開口部一端に曲成される前記基端アーム片と、この基端アーム片と略逆ハの字形を成すように前記係合フック配設側へ上昇傾斜される延出部分であって前記巻着リングの開口部他端に曲成される前記先端アーム片とを備えていることを特徴とする請求項１又は２に記載の足場板固定具。
【請求項４】
前記巻着リングの周方向中間部に略Ｕ字形又は略円弧状に曲成され、その巻着リングの径方向に湾出形成される湾出バネ部を備えていることを特徴とする請求項１から３のいずれかに記載の足場板固定具。
【発明の詳細な説明】
【技術分野】
【０００１】
本発明は、単管上に足場板を交差させた状態で載置して固定するための足場板固定具に関するものである。
【背景技術】
【０００２】
従来、鋼管製の単管上に足場板が載置されて組み立て構築される足場では、足場板を単管に固定する簡便な道具として、足場板を単管に緊縛する太い針金、いわゆる番線が広く用いられている。ところが、番線を用いて足場を組み立て構築する際には、足場板及び単管に巻き付けた番線を、１本ずつ強く締め上げる必要があり、足場板の固定作業に手間取ってしまうという問題があった。
【０００３】
また、番線を用いて構築された足場を解体する場合、プライヤー等の工具を用いて番線を１本ずつ切断して除去する必要があるが、このように切断された番線は再使用することができず、使用済み番線を大量に産業廃棄物として処分しなければならなかった。
【０００４】
また、高架橋に組まれた足場を解体する場合には、切断除去後の番線を、例えば、河川や草藪などのある高架下に誤って落下させてしまうことも間々あり、容易に回収することができずに放置してしまい、自然環境や生態系に悪影響を与えてしまうこともあった。
【０００５】
そこで、このような番線に代わる足場板固定用の道具として、下記特許文献１及び２にある足場板固定装置が提案されている。
【０００６】
特許文献１の足場固定装置は、足場板上にその幅方向に向けて載置される押さえ板と、その押さえ板の両端部に挿入されるボルトと、そのボルトに螺着されるナット筒と、そのナット筒の側面に付設され単管に下側から上向きに係止される略Ｕ字状の係止部材と、押さえ板と足場板との間に介在する押さえ込み板とを備えている。
【０００７】
特許文献２の足場板固定装置は、足場板上にその幅方向に向けて載置される主杆と、その主杆の一端に曲成され単管に係止される略Ｃ字状の係止部と、主杆の他端に開閉自在に枢着される一対の略半円弧状部材と、その一対の略半円弧状部材によって単管外周を包囲してその先端部同士を締結するナット及び固定ねじ棒とを備えている。
【特許文献１】特開平１１−１５９１３３号公報
【特許文献２】特開平８−２２６２２８号公報
【発明の開示】
【発明が解決しようとする課題】
【０００８】
しかしながら、上記した従来の足場板固定装置はいずれも、ボルト及びナットを用いて単管と足場板とを結合させるものであるため、足場組立の際にはボルト及びナットの締め付け作業が必要となり、足場解体の際にはボルト及びナットの取り外し作業が必要となるため、足場板の固定作業及び撤去作業に手間がかかるという問題点があった。
【０００９】
また、ボルト及びナットの取り扱いは指先を使う細かな作業であるため、作業用手袋などを填めた状態ではボルトをナットにねじ込み難くて作業効率が低下してしまう。しかも、このような足場板固定装置では、ボルト及びナットによる固定作業中に誤ってボルトやナットを落下させやすく、作業者は、常に予備のボルトやナットを持ち歩かねばならず煩雑であるという問題点があった。
【００１０】
本発明は、上述した問題点を解決するためになされたものであり、足場板を単管に固定する器具として旧来の番線を用いる必要がなく、かつ、ボルト及びナットを用いることなく簡易に足場板を単管に対して固定することができる足場板固定具を提供することを目的としている。
【課題を解決するための手段】
【００１１】
この目的を達成するために請求項１の足場板固定具は、単管に交差した状態でその単管上に載置される足場板をその単管に固定するものであり、足場板の幅以上の長さを有し、足場板の幅方向に向けられ単管に対して略平行に足場板上に載置可能に形成される押止ロッドと、その押止ロッドから足場板の長さ方向に間隔を隔てて単管よりも遠方の位置で足場板の幅方向両端部にそれぞれ係合可能に形成される一対の係合フックと、その一対の係合フックが先端部にそれぞれ形成されかつ前記押止ロッドの両端部に基端部がそれぞれ連設されるとともに、その押止ロッドの両端部から単管側へ下降傾斜して延出され、単管の外周下側に沿って曲成されて折り返され、足場板側へ向けて上昇傾斜して延出され、前記一対の係合フックが足場板上に係合される場合に足場板側へ向けて弾性的に撓み変形可能に形成され、平面視した状態で互いに同一方向へ延出される一対の弾性アームとを備えており、その弾性アームはいずれも、単管外径に比べて内径が大きな内周部へ単管を挿入可能に上向き開放された開口部を有する優弧状であって単管外周に巻着可能に形成され、その弾性アームが足場板側へ向けて弾性的に撓み変形されることによって、単管を締め付けるように弾性的に縮径可能に形成されて、当該弾性アームの撓み変形に伴う歪みエネルギーを蓄積する媒体となる巻着リングを備えている。
【００１２】
この請求項１の足場板固定具によれば、押止ロッドが足場板上に載置され、一対の弾性アームが単管の下側を潜らされ、この一対の弾性アームが足場板側へ向けて弾性的に撓められて、一対の係合フックが足場板の幅方向両端部にそれぞれ係合されることで、足場板が単管に対して固定される。
【００１３】
しかも、弾性アームの弾性的に撓み変形に伴う弾性復元力が作用することで、足場板は、押止ロッド及び各係合フックによって単管に対して圧接されて押止されるので、かかる足場板が単管上から浮き上がったり、或いは、単管上で摺り動くことが防止される。
【００１４】
ここで、足場板を単管に固定する場合、押止ロッドが足場板上に載置された後、各弾性アームが単管下側に潜らされてから、各弾性アームの巻着リングの開口部を通じて、単管が各巻着リングの内周部へ挿入されて、各弾性アームの巻着リングが単管外周にそれぞれ巻着される。
【００１５】
各巻着リングが単管外周に巻着された状態で、各係合フックを足場板の幅方向両端部に係合させるため、各弾性アームが足場板側へ向けて撓められると、その歪みエネルギーが、巻着リングを弾性的に縮径させて単管を締め付ける力と、押止ロッド及び各係合フックによって足場板に押止する力となって作用する。
【００１６】
請求項２の足場板固定具は、請求項１の足場板固定具において、前記押止ロッド、一対の弾性アーム、及び、一対の係合フックは、撓み変形可能な棒状の弾性材料を曲成することで一体的に形成されている。
【００１７】
請求項３の足場板固定具は、請求項１又は２の足場板固定具において、前記弾性アームは、前記弾性アームは、前記押止ロッドの端部から下降傾斜される延出部分であって前記巻着リングの開口部一端に曲成される前記基端アーム片と、この基端アーム片と略逆ハの字形を成すように前記係合フック配設側へ上昇傾斜される延出部分であって前記巻着リングの開口部他端に曲成される前記先端アーム片とを備えている。
【００１８】
この請求項３の足場板固定具によれば、請求項１又は２の足場板固定具と同様に作用する上、弾性アームは、基端アーム片及び先端アーム片からなる一対のアーム片を互いに近接させることで巻着リングが弾性的に縮径される。ここで、係合フックを足場板に係合させるときに弾性アームは足場板側へ向けて撓められるが、このときの弾性アームの変形動作が一対のアーム片を互いに近接させる動作に一致する。このため、弾性アームが撓められて各係合フックが足場板に係合されれば、巻着リングを縮径させて単管外周に強固に緊締巻着させることができる。
【００１９】
一方、弾性アームは、一対のアーム片を互いに離間させることで巻着リングが弾性的に拡径されるとともに、それに伴って巻着リングの開口部も拡開される。この開口部が拡開されて、その幅が単管外径以上となれば、この開口部を通じて単管が巻着リングの内周部へ挿入可能な状態となる。そして、かかる開口部を通じて単管が巻着リングの内周部に挿入されると、巻着リングの弾性復元力によって巻着リングが縮径されて単管外周に巻着される。
【００２０】
請求項４の足場板固定具は、請求項１から３のいずれかの足場板固定具において、前記巻着リングの周方向中間部に略Ｕ字形又は円弧状に曲成され、その巻着リングの径方向に湾出形成される湾出バネ部を備えている。
【発明の効果】
【００２１】
請求項１の足場板固定具によれば、押止ロッドを足場板上に載置し、各弾性アームを単管下側に潜らしつつ足場板側へ向けて弾性的に撓めて、各係合フックを足場板の幅方向両端部にそれぞれ係合させることで、足場板を単管に対して容易に固定できるという効果がある。
【００２２】
このため、ボルト及びナットの金具が不要となり、これらを用いた指先を使う細かな作業も不要となるので、作業用手袋を填めた状態のままでも円滑に取り付けでき、その分、作業効率を向上でき、予備のボルト及びナットの常備も不要であるという効果がある。
【００２３】
また、弾性アームは、その弾性アーム自体の撓み変形に伴う弾性歪みエネルギー（弾性復元力）を、足場板を単管に対して押止するための付勢力として利用するので、従来のようにボルト及びナットを用いて足場板を単管に固定せずとも、足場板を単管に対して強固に固定できるという効果がある。
【００２４】
したがって、上記した従来の足場板固定装置のように、ボルト及びナットを用いた固定作業も不要となり、なおかつ、足場解体の際にはボルト及びナットの取り外し作業も不要となるため、足場板の固定作業及び撤去作業を簡素化できるという効果がある。
【００２５】
また、弾性アームの巻着リングは、弾性アームの撓み変形に伴う歪みエネルギーを蓄積する媒体となることができる。しかも、かかる巻着リングは、弾性的に縮径されて単管を締め付けることで、単管の摺り動きを防止し、弾性アームを単管に対して強固に固定できるという効果がある。
【００２６】
請求項２の足場板固定具は、請求項１の足場板固定具の奏する効果に加え、押止ロッド、一対の弾性アーム及び一対の係合フックが撓み変形可能な棒状の弾性材料を曲成することで一体的に形成されており、各部位を個々に分離可能な部品で構成する必要がない。このため、足場板固定具の各部位をボルト及びナットなどの締結具を用いて締結する必要がなく、足場板の固定作業時の煩雑さを解消できるという効果がある。しかも、足場板固定具の各部位が離ればなれになって紛失する恐れもないので、この足場板固定具を再使用するまでの保管も簡便であるという効果がある。
【００２７】
請求項３の足場板固定具によれば、請求項１又は２の足場板固定具の奏する効果に加え、弾性アームは、その一対のアーム片を近接又は離間させるように操作することで、巻着リングを縮径又は拡径したり、巻着リングの開口部を拡縮させたりできるという効果がある。
【００２８】
請求項４の足場板固定具によれば、請求項１から３のいずれかの足場板固定具の奏する効果に加え、巻着リングには湾出バネ部が存在するので、かかる湾出バネ部の弾性変形によって巻着リングを円滑に縮径又は拡径できるという効果がある。しかも、巻着リングの内径と単管の外径との間に寸法誤差があったり、或いは、巻着リング又は単管の形状に不一致があっても、湾出バネ部の弾性変形によって、かかる寸法誤差や形状不一致を吸収又は解消でき、巻着リングと単管との密着性を向上できるという効果がある。
【発明を実施するための最良の形態】
【００２９】
以下、本発明の好ましい実施例について、添付図面を参照して説明する。図１は、本発明の一実施例である足場板固定具１の外観斜視図である。
【００３０】
図１に示すように、足場板固定具１は、略直線棒状の押止ロッド２と、この押止ロッド２の軸方向（長手方向）両端部に設けられる一対の弾性アーム３，３と、この一対の弾性アーム３，３の各先端部に設けられる一対の係合フック４，４とを備えている。これらの押止ロッド２、一対の弾性アーム３，３、及び、一対の係合フック４，４は、１本の撓み変形可能な棒状の弾性材料、例えば、ピアノ線やバネ鋼等のばね特性を有する金属材料を用いた丸棒材を曲成することで一体的に形成されている。
【００３１】
なお、図１は、足場板固定具１の材料として外径が概ね３ｍｍ〜５ｍｍのピアノ線の丸棒材を用いた場合を想定して図示したものである。
【００３２】
図２は、足場板固定具１による足場板１１及び単管１２の固定状態を示した斜視図である。図２に示すように、足場板固定具１は、単管１２に交差した状態で、その単管１２上に載置される足場板１１を、その単管１２に対して固定するものである。押止ロッド２は、足場板１１の幅以上の長さを有する略直線状の丸棒体であり、足場板１１の幅方向に向けて、その足場板１１上に載置可能に形成されている。
【００３３】
図３は、図２に示した足場板固定具１による足場板１１及び単管１２の固定状態を平面視した平面図である。図３に示すように、押止ロッド２は、単管１２に対して略平行な状態で足場板１１上に載置される。また、一対の係合フック４，４は、足場板１１の幅方向両端部にそれぞれ引っ掛けられることによって係合されるものである。
【００３４】
一対の係合フック４，４は、押止ロッド２から足場板１１の長さ方向に一定の間隔を隔てた位置にそれぞれ係合されており、これらの係合位置は、押止ロッド２からみて単管１２の配設位置よりも更に遠方とされている。この結果、押止ロッド２と一対の係合フック４，４とは、足場板固定具１を平面視した場合に、単管１２を挟んで足場板１１上に略対称に配置されることとなる。
【００３５】
一対の弾性アーム３，３は、足場板固定具１を平面視した場合に、押止ロッド２の軸方向両端部に略直角にそれぞれ曲成されており、互いに同一方向（図３右側）へ向けて略平行に延出されている。また、一対の係合フック４，４は、足場板固定具１を平面視した場合に、それぞれ弾性アーム３，３の先端部に略直角に曲成されており、その先端同士が対向されている。
【００３６】
図４は、図２に示した足場板固定具１の側面図であり、図５は、足場板固定具１の側面図であって係合フック４，４が足場板１１から外された状態を図示したものであり、図６は、足場板固定具１の側面図であって巻着リング６が単管１２から取り外された状態を図示したものである。
【００３７】
図４に示すように、弾性アーム３は、その基端部に押止ロッド２の端部が連設されており、その先端部に係合フック４が形成されている。この弾性アーム３は、押止ロッド２の軸方向両端部から単管１２側へ向けて下降傾斜して延出される基端アーム片５と、単管１２の外周下側に沿って曲成されて折り返される巻着リング６と、足場板１１側へ向けて上昇傾斜して延出される先端アーム片７とを備えている。
【００３８】
巻着リング６は、単管１２外周に巻着可能であって半円より周長が大きな円弧である略優弧（Ｃ字形）状に形成されており、その外周上部に上向きに開放された開口部８が設けられている。この巻着リング６の開口部８は、単管１２を巻着リング６の内周部へ挿入するための挿入口であり、巻着リング６は、この開口部８が存在することで、弾性的に拡径及び縮径可能に構成されている。
【００３９】
また、巻着リング６の開口部８の両端部には、上記した一対のアーム片５，７がそれぞれ１本ずつ略く字形に曲成されている。特に、基端アーム片５は、その一端（図４左上側）が押止ロッド２の軸方向端部に連設され、その他端（図４右下側）が巻着リング６の開口部８の一端部（図４左側）に連設されている。さらに、先端アーム片７は、その一端（図４左下側）が巻着リング６の開口部８の他端部（図４右側）に連設され、その他端（図４右上側）が係合フック４に連設されている。
【００４０】
この一対のアーム片５，７は、巻着リング６の開口部８から上方へ向けて略逆ハの字形を成すように延出されており、この一対のアーム片５，７の基端部間に巻着リング６の開口部８が位置する形態となっている。また、巻着リング６における開口部８の対称位置には、巻着リング６の径方向に湾出される湾出バネ部９が形成されており、この湾出バネ部９は、巻着リング６の周方向中間部に略Ｕ字形に曲成されている。
【００４１】
なお、湾出バネ部９の形状は必ずしも略Ｕ字形に限定されるものではなく、例えば、略半円形やそれより弧長の短い円弧状であっても良い。
【００４２】
このように構成される弾性アーム３は、足場板１１の上面側へ向けて弾性的に撓み変形可能に形成されており、その先端アーム片７が図５に示す位置から図４に示す位置まで撓み変形されることによって、係合フック４が足場板１１上に係合されるように形成されている。しかも、このように弾性アーム３が足場板１１側へ向けて弾性的に撓み変形されることによって、巻着リング６は、単管１２を締め付けるように弾性的に縮径可能とされている。
【００４３】
図５に示すように、巻着リング６の内径は単管１２の外径に比べて僅かであるが大きく形成されている。このため、図４に示すように、係合フック４を足場板１１に係合するため弾性アーム３が足場板１１側へ向けて撓められると、その弾性歪みエネルギーは、巻着リング６を弾性的に縮径させて単管１２を締め付ける力や、押止ロッド２及び各係合フック４，４によって足場板１１に押止する付勢力となって作用するのである。
【００４４】
しかも、巻着リング６には湾出バネ部９が存在するので、巻着リング６の内径と単管１２の外径との間に寸法誤差があったり、或いは、巻着リング６又は単管１２の形状に不一致があっても、湾出バネ部９が弾性変形することによって、かかる寸法誤差や形状不一致を吸収又は解消でき、巻着リング６と単管１２との密着性が向上される。
【００４５】
次に、足場板固定具１の使用方法について説明する。上記のように構成された足場板固定具１によれば、図２に示すように足場板固定具１を取り付ける場合、まず、押止ロッド２が足場板１１上に載置されてから、図６に示すように、一対の弾性アーム３，３が単管１２下側に潜らされる。それから、各弾性アーム３，３について、一対のアーム片５，７が互いに離間するように開かれると、巻着リング６が弾性的に拡径されるとともに、それに伴って巻着リング６の開口部８が拡開される。
【００４６】
この開口部８が拡開されて、図６に示すように、その幅が単管１２外径以上となれば、この開口部８を通じて単管１２が巻着リング６の内周部へ挿入されて、この挿入後、図５に示すように、巻着リング６の弾性復元力によって巻着リング６が縮径されて単管１２外周に巻着される。このようにして各弾性アーム３，３の巻着リング６が単管１２外周にそれぞれ巻着されると、各弾性アーム３，３が足場板１１側へ向けて弾性的に撓められて、一対の係合フック４，４が足場板１１の幅方向両端部にそれぞれ係合される。
【００４７】
具体的には、各弾性アーム３，３の先端アーム片７を掴んで、その先端アーム片７を、それぞれ基端アーム片５に近接させるように足場板１１側へ向けて引き上げると、各先端アーム片７が図５に示す位置から図４に示す位置まで弾性的に撓み変形されるので、このとき各係合フック４，４を、足場板１１の幅方向両端部上に引っ掛けて係合させるのである。
【００４８】
すると、係合フック４を足場板１１に係合することに伴う先端アーム片７の撓み変形に伴って、弾性アーム３の弾性復元力が発生し、この弾性復元力によって、足場板１１は、押止ロッド２及び各係合フック４，４によって単管１２に対して圧接押止されて、単管１２に対して固定される。しかも、係合フック４を足場板１１に係合するための先端アーム片７の撓み変形に伴って、巻着リング６が弾性的に縮径されるので、巻着リング６が単管１２外周に強固に緊締巻着されて、弾性アーム３，３と単管１２との結合力が高められる。
【００４９】
以上説明したように本実施例の足場板固定具１によれば、ボルト及びナットの締結金具を使用せずとも、押止ロッド２を足場板１１上に載置し、巻着リング６を単管１２に巻着させ、係合フック４，４を足場板１１の幅方向両端部上に引っ掛けることで、足場板１１を単管１２に対して容易に固定できる。このため、足場の組み立て作業において、ボルト及びナットの締め付け作業のような指先を使う細かな作業が不要となる。しかも、弾性アーム３，３の弾性歪みエネルギーを用いて足場板１１を単管１２に対して強固に固定できる。
【００５０】
よって、従来の番線を用いた足場板固定方法に対し、１本ずつ番線を強く締め上げる作業が不要であるため、その分、作業の迅速化を図ることができる。また、大量の使用済みの番線が産業廃棄物となることもなく、資源を無駄なく有効に活用できる。また、使用済み番線が自然界に未回収のまま放置されることもなくなり、自然環境や生態系の保全も図られる。
【００５１】
以上、実施例に基づき本発明を説明したが、本発明は上記実施例に何ら限定されるものではなく、本発明の趣旨を逸脱しない範囲内で種々の改良変形が可能であることは容易に推察できるものである。
【図面の簡単な説明】
【００５２】
【図１】本発明の一実施例である足場板固定具の外観斜視図である。
【図２】足場板固定具による足場板及び単管の固定状態を示した斜視図である。
【図３】図２に関する平面図である。
【図４】図２に示した足場板固定具の側面図である。
【図５】足場板固定具の側面図であって、係合フックが足場板から外された状態を図示したものである。
【図６】足場板固定具の側面図であって、巻着リングが単管から取り外された状態を図示したものである。
【符号の説明】
【００５３】
１                    足場板固定具
２                    押止ロッド
３，３                弾性アーム
４，４                係合フック
５                    基端アーム片（一対のアーム片の一方）
６                    巻着リング
７                    先端アーム片（一対のアーム片の他方）
８                    開口部（巻着リングの開口部）
９                    湾出バネ部
１１                  足場板
１２                  単管
【図１】
0004791430.tif 000002
【図２】
0004791430.tif 000003
【図３】
0004791430.tif 000004
【図４】
0004791430.tif 000005
【図５】
0004791430.tif 000006
【図６】
0004791430.tif 000007